(57)【要約】【課題】  洗面化粧台等に大きな操作レバーを有する水栓装置を取り付けても邪魔にならない水栓装置の提供。【解決手段】  シャワーヘッド３等の吐水口からの吐水の温度および／又は流量を調整するための操作レバー２を有して洗面化粧台５等のカウンターに具備される水栓装置１であって、操作レバー２を操作レバー本体２１と先端部２２とに分割し、折りたたみ自在な折りたたみ機構を介して連結させて成り、使用者が洗顔、洗髪する場合等で頭を洗面ボール７に近づけた場合でも、操作レバーが邪魔にならないものである。【選択図】図１
2006118138.tif 000002
【特許請求の範囲】
【請求項１】
シャワーヘッド等の吐水口からの吐水の温度および／又は流量を調整するための操作レバーを有して洗面化粧台等のカウンターに具備される水栓装置であって、
前記操作レバーを操作レバー本体と先端部とに分割し、折りたたみ自在な折りたたみ機構を介して連結させて成ることを特徴とする水栓装置。
【請求項２】
前記折りたたみ機構を、前記操作レバー本体と先端部とに一体形成された丁番機構として成る請求項１記載の水栓装置。
【発明の詳細な説明】
【技術分野】
【０００１】
本発明は水栓装置に関し、特に、シャワーヘッドからの吐水の温度および／又は流量を調整するための操作レバーを有して洗面化粧台等に具備される水栓装置に関するものである。
【背景技術】
【０００２】
従来から、水栓装置には、特開２００１−２６９２７６号公報に記載されているものがある。この水栓装置は、図４に示す如く、シャワーヘッド１０３とシャワーヘッド１０３を保持する保持部１０５とを有するシャワー装置Ｄと、シャワーヘッド１０３からの吐水の温度および／又流量を調整するための操作レバー１０２と、を有して洗面化粧台に具備されている。このシャワー装置Ｄは、保持部１０５が、洗面化粧台のカウンター１０４後部に立設された壁部１０６の前面に設けられたベース部材１０３ｂと、このベース部材１０３ｂの上部に回動可能に保持され、その一端が前記シャワーヘッド１０３の下端を分離可能に保持するホルダ部１０３ａとを有し、洗面ボールの上方の空間を有効に利用することができる洗面化粧台である。
【０００３】
ところで、最近、洗面化粧台に限らず、すべての人にとって使い易いように設計されるユニバーサルデザインの商品の要望が増えてきている。
【０００４】
しかしながら、特開２００１−２６９２７６号公報に開示されているような操作レバー１０２では、操作レバー１０２が洗面ボールの略中央の方向へ突き出ているため、例えば、使用者が洗顔、洗髪する場合等で頭を洗面ボールに近づけた場合、操作レバーが邪魔になったり、時には、頭にあったりする場合があった。特に、ユニバーサルデザイン等の大きな操作レバーを備えた水栓装置では、その影響が顕著である。
【特許文献１】特開２００１−２６９２７６号公報
【発明の開示】
【発明が解決しようとする課題】
【０００５】
本願発明は、上記背景技術に鑑みて発明されたものであり、その課題は、洗面化粧台等に大きな操作レバーを有する水栓装置を取り付けても邪魔にならない水栓装置を提供することにある。
【課題を解決するための手段】
【０００６】
上記課題を解決するために、本願発明は、シャワーヘッド等の吐水口からの吐水の温度および／又は流量を調整するための操作レバーを有して洗面化粧台等のカウンターに具備される水栓装置であって、前記操作レバーを操作レバー本体と先端部とに分割し、折りたたみ自在な折りたたみ機構を介して連結させて成る。
【０００７】
また、前記折りたたみ機構を、前記操作レバー本体と先端部とに一体形成された丁番機構として成るものが好ましい。
【発明の効果】
【０００８】
本願発明の洗面化粧台等の水栓装置によれば、大きな操作レバーを取り付けても、操作レバーを容易に折りたたむことができるので、例えば、使用者が洗顔、洗髪する場合等で頭を洗面ボールに近づけても操作レバーが邪魔にならなくなる。
【０００９】
また、大きなバケツ等の容器を洗面ボールに置くことができる。
【発明を実施するための最良の形態】
【００１０】
本願の一実施形態の操作レバー２を備えた水栓装置１を図１から図３に基づいて説明する。図１は一実施形態の水栓装置１を備えた洗面化粧台５の概略斜視図、図２（ａ）は同上の操作レバー２の上面図、（ｂ）は同上の操作レバー２の側面断面図、図３（ａ）、（ｂ）、（ｃ）は同上の操作レバー２を折りたたむ場合の説明図である。このものは、シャワーヘッド３等の吐水口からの吐水の温度および／又は流量を調整するための操作レバー２を有して洗面化粧台５等のカウンター４に具備される水栓装置１であって、操作レバー２を操作レバー本体２１と先端部２２とに分割し、折りたたみ自在な折りたたみ機構を介して連結させて成る。
【００１１】
また、折りたたみ機構は、操作レバー本体２１と、操作レバー本体２１と一体に形成された丁番機構２３と、丁番機構２３を介して折りたたみ自在に接続された先端部２２と、を備えて成るものである。
【００１２】
水栓装置１は、図１に示すように、洗面化粧台５のカウンター４の後部に立設された壁部６の下部に取り付けられるものであり、シャワーヘッド３と、このシャワーヘッド３からの吐水の温度および／又は流量を調整するための操作レバー２とからなる。
【００１３】
操作レバー２は、シャワーヘッド３からの吐水の温度および／又は流量を調整するためのものであり、操作レバー本体２１に一体形成された丁番機構２３と、丁番機構２３を介して折りたたみ自在に接続された先端部と、に分割し、折りたたみ自在な折りたたみ機構を介して連結させて成るものである。
【００１４】
操作レバー本体２１は、その先端に凹部２１ａを有し、この凹部２１ａに丁番機構２３が一体形成されている。
【００１５】
先端部２２は、凹部２１ａに対応した凸部２２ａを有し丁番機構２３介して接続されている。また、凸部２２ａには、先端部２２を折りたたみ自在にするための操作孔２２ｂと回転孔２２ｃが設けられている。
【００１６】
なお、図示はしていないが、操作レバー２は、吐水の温度および流量を調整する場合に図２の状態を保持する為のロック機構を有しており、図２の状態より、先端部２２を引っ張ることにより、ロック機構が解除されるようになっている。
【００１７】
次に、この操作レバー２の折りたたみ方法を図３に基づいて説明する。図３（ａ）、（ｂ）、（ｃ）は、操作レバー２の拡大断面図である。
【００１８】
図３（ａ）は、操作レバー２を使用する状態、すなわち、折りたたむ前の図である。この状態の丁番機構２３は、回転孔２２ｃと反対側の端部の操作孔２２ｂと接している。
【００１９】
この状態から、図３（ｂ）に示すように、先端部２２を矢印の方向Ｐ（ＰＵＬＬ）に引くことによりロック機構が解除される。そして、丁番機構２３が回転孔２２ｃに挿入されるまで引いてゆく。
【００２０】
丁番機構２３が回転孔２２ｃに挿入された状態で，図３（ｃ）に示すように、先端部２２を矢印Ｄ（ＤＯＷＮ）の方向に回転させる。
【００２１】
また、折りたたんだ操作レバー２を使用する場合は、上述した折りたたみ方法の逆の操作をすることにより、元の状態に戻すことができる。
【００２２】
このように構成された洗面化粧台は、図１に示すように、操作レバー２の先端部２２を矢印Ｐの方向に引き、そして、先端部２２を矢印Ｄの方向に回転すれば折りたたむことができる。また、先端部２２を矢印Ｕ（ＵＰ）の方向に回転しても折りたたむことができる。この場合、シャワーヘッド３から吐水させた状態で操作レバー２を折りたためば、シャワーヘッド３から吐水させた状態で、操作レバー２を折りたたむことになる。
【００２３】
従って、シャワーヘッド３から吐水に関係なく、例えば、大きな操作レバーを使用しても、操作レバーが邪魔にならなくなり、洗面、洗顔時に操作レバー２が頭に当たることが少なくなると共に、洗面ボール７内にバケツ等の大きな容器を置きけるようになる。
【００２４】
なお、水栓装置１は、洗面化粧台に備えているが、特に、洗面化粧台でなくても良く。
【図面の簡単な説明】
【００２５】
【図１】本発明の一実施形態の水栓装置を備えた洗面化粧台の概略斜視図である。
【図２】（ａ）は同上の操作レバーの上面図、（ｂ）は同上の操作レバーの側面断面図である。
【図３】（ａ）、（ｂ）、（ｃ）は同上の操作レバーを折りたたむ場合の説明図である。
【図４】特開２００１−２６９２７６号公報に記載の洗面台のシャワー装置の斜視図である。
【符号の説明】
【００２６】
１      水栓装置
２      操作レバー
２１    操作レバー本体
２２    先端部
２３    丁番機構
３      シャワーヘッド
５      洗面化粧台
【図１】
2006118138.tif 000003
【図２】
2006118138.tif 000004
【図３】
2006118138.tif 000005
【図４】
2006118138.tif 000006